(57)【要約】【課題】  船縁における異なる大きさの孔部へ簡単に装着可能であって、軽量化を実現する竿掛けを提供する。【解決手段】  竿掛け(10)は、釣り竿(40)を保持可能な第一切欠き部(12)を備えて可撓性のある材質の第一・二股形状部(11)と、前記第一切欠き部(12)に対して反対側に位置するとともに釣り竿(40)を保持可能な第二切欠き部(22)を備えて可撓性のある材質の第二・二股形状部(21)と、を一体として備え、前記第一・二股形状部(11)が、船舶(30)の船縁(31)に備えられた中径の孔部(32b)へ差し込み可能であり、前記第二・二股形状部(21)が、船舶(30)の船縁(31)に備えられた極細径の孔部(32d)へ差し込み可能である。【選択図】  図２
2014147335.tif 000002
【特許請求の範囲】
【請求項１】
釣り竿を保持可能な第一切欠き部を備えて可撓性のある材質の第一・二股形状部と、
前記第一切欠き部に対して反対側に位置するとともに釣り竿を保持可能な第二切欠き部を備えて可撓性のある材質の第二・二股形状部と、を一体として備え、
前記第一・二股形状部と前記第二・二股形状部とは、その形状を異ならせることで、  前記第一・二股形状部が、船舶の船縁に備えられた中径の孔部へ差し込み可能であり、  前記第二・二股形状部が、船舶の船縁に備えられた極細径の孔部へ差し込み可能である竿掛け。
【請求項２】
前記第一・二股形状部は、前記第一切欠き部へ嵌め入れ可能な第一嵌合部材を備えることで、船舶の船縁に備えられた大径の孔部へ差し込み可能である請求項１に記載の竿掛け。
【請求項３】
前記第一嵌合部材は、その先端から前記大径の孔部へ差し込む方向に長い第三切欠き部を備えている請求項２に記載の竿掛け。
【請求項４】
前記第二・二股形状部は、前記第二切欠き部へ嵌め入れ可能な第二嵌合部材を備えることで、船舶の船縁に備えられた細径の孔部へ差し込み可能である請求項１に記載の竿掛け。
【請求項５】
前記第二嵌合部材は、その先端から前記細径の孔部へ差し込む方向に長い第四切欠き部を備えている請求項４に記載の竿掛け。
【請求項６】
前記第一・二股形状部の第一切欠き部と、前記第二・二股形状部の第二切欠き部は、同じ面に貫通している請求項１から請求項５のいずれかに記載の竿掛け。
【請求項７】
前記第一・二股形状部は、その側面に凹凸部を形成した請求項１から請求項６のいずれかに記載の竿掛け。
【請求項８】
前記第二・二股形状部は、その側面に凹凸部を形成した請求項１から請求項６のいずれかに記載の竿掛け。
【発明の詳細な説明】
【技術分野】
【０００１】
本発明は、船釣りする際に、釣り竿をかける竿掛けに関し、特に船舶の船縁に備えられている孔部を利用して前記孔部へ簡単に装着可能な竿掛けに関する。
【背景技術】
【０００２】
一般に、船釣りする場合、釣り竿を保持するための釣り竿保持具が用いられている。従来の釣り竿保持具としては、特許文献１に示すように、釣り竿を保持する保持部と、前記保持部を支持する本体部と、前記本体部を船縁に着脱するためのクランプなどを備えた固定部と、で構成されている。
【０００３】
特許文献１における釣り竿保持具は、構造的に大きく、大重量物であるために、持ち運びが不便であった。また、釣り竿保持具を船縁に装着する際、クランプなどの固定部によって固定する操作が煩雑と感じる釣り人もいた。
特許文献２および特許文献３に示すように、船舶の船縁に備えられている孔部を利用して固定する釣り竿保持具が提供されている。基本的には、特許文献１の釣り竿保持具における固定部に代わる部材として、前記孔部に差し込むための棒状の差し込み部を備えている。
【０００４】
特許文献２および特許文献３における釣り竿保持具は、その棒状の差し込み部を、予め船縁に備えられている孔部へ挿入可能な大きさにする必要がある。実際、前記船縁の孔径は船舶によって異なっているので、その船舶専用の釣り竿保持具となる。
特許文献２では、船縁における異なる大きさの孔部へ装着できるようにするために、船縁穴装着部（前記差し込み部に該当する部材）を、基幹柱に対して、外径を異にした幾種かの外径調整筒を取り換え可能に設けている。つまり、船縁の孔径に合わせた大きさの外径調整筒を前記基幹柱の外側へ、ねじなどの固定具を用いて取り付けている。
【先行技術文献】
【特許文献】
【０００５】
【特許文献１】特開２０００−２７０７４５号公報
【特許文献２】特開平９−１３３号公報
【特許文献３】特開２０００−４１５５７号公報
【発明の概要】
【発明が解決しようとする課題】
【０００６】
特許文献２および特許文献３の釣り竿保持具は、特許文献１に比べると、船舶の船縁に備えられている孔部を利用して固定するという点で、簡単な構造になっている。しかし、釣り竿を保持する保持部と、前記保持部を支持する本体部と、孔部に差し込むための棒状の差し込み部とからなるので、全体の大きさや重量について、小型軽量化を望む釣り人は潜在している。
また、従来の釣り竿保持具では、船縁における異なる大きさの孔部へ装着できるようにするために、幾種もの外径調整筒を備える必要があるので、結果的に全体の大きさを小さくしたり、重量を軽くしたりすることになっていない。
【０００７】
本発明が解決しようとする課題は、船縁における異なる大きさの孔部へ簡単に装着可能であって、軽量化を実現する竿掛けを提供することにある。
【課題を解決するための手段】
【０００８】
（第一の発明）
本願における第一の発明は、  釣り竿(40)を保持可能な第一切欠き部(12)を備えた第一・二股形状部(11)と、  前記第一切欠き部(12)に対して反対側に位置するとともに釣り竿(40)を保持可能な第二切欠き部(22)を備えた第二・二股形状部(21)と、を可撓性のある材質にて一体として備える。  第一・二股形状部(11)と第二・二股形状部(21)とは、その形状を異ならせることで、前記第一・二股形状部(11)が船舶(30)の船縁(31)に備えられた中径の孔部(32b)へ差し込み可能であり、  前記第二・二股形状部(21)が船舶(30)の船縁(31)に備えられた極細径の孔部(32d)へ差し込み可能である竿掛け(10)に係る。
【０００９】
（用語説明）
「可撓性のある材質」とは、たとえば発泡ゴム、発泡樹脂、などである。
「二股形状部」とは、たとえば平面形状がＶ字形状ないしはＵ字形状などのように、釣り竿(40)を挟み込むために二股形状をなす部材である。釣り竿(40)を保持可能であればよいので、特定の断面形状に限定されない。
第一・二股形状部および第二・二股形状部の形状が異なっているとは、それら平面形状に垂直な端面がなす形状および面積が、その端面に垂直な軸線に移動させた場合に異なっていることである。その端面を縮めるように変形させた場合の変形可能な量を異ならせるためである。
【００１０】
なお、後述する発明のバリエーションにおいては、第一・二股形状部における端面の面積は、第二・二股形状部における端面の面積よりも大きいとして説明する。
「中径」および「極細径」とは、孔径の大きさの違いを相対的に表している。この発明に係る竿掛け(10)は、後述するバリエーションを含めると、差し込み可能な孔径は、孔径の大きい順から、「大径」、「中径」、「細径」、「極細径」となる（図３参照）。
【００１１】
（作用）
第一・二股形状部(11)を中径の孔部(32b)へ挿入すると、弾性を有している第一・二股形状部(11)は、第一切欠き部(12)の分だけ大きく縮まりながら中径の孔部(32b)へ挿入されることで、簡単に装着できる。挿入された第一・二股形状部(11)は縮んだ分だけ大きく反発するので、装着後は中径の孔部(32b)において安定した状態を保つ。前記第二・二股形状部(21)が竿掛け(10)の上部に位置するので、前記第二切欠き部(22)にて釣り竿(40)を挟み込むことで、竿掛け(10)として機能することになる。
一方、第二・二股形状部(21)を極細径の孔部(32d)へ挿入すると、弾性を有している第二・二股形状部(21)は、第二切欠き部(22)の分だけ大きく縮まりながら極細径の孔部(32d)へ挿入されることで、簡単に装着できる。前記第二・二股形状部(21)は縮んだ分だけ大きく反発するので、装着後は極細径の孔部(32d) において安定した状態を保つ。前記第一・二股形状部(11)が竿掛け(10)の上部に位置するので、前記第一切欠き部(12)にて釣り竿(40)を挟み込むことで、竿掛け(10)として機能することになる。
【００１２】
（第一の発明のバリエーション１）
第一の発明においては、  前記第一・二股形状部(11)は、前記第一切欠き部(12)へ嵌め入れ可能な第一嵌合部材(13)を備える。その第一嵌合部材(13)を、前記第一切欠き部(12)へ嵌め入れることで、船舶(30)の船縁(31)に備えられた大径の孔部(32a)へ差し込み可能として形成する。
なお、第一切欠き部(12)と第二切欠き部(22)とを同一形状とした場合、第一嵌合部材(13)は、第二切欠き部(22)にも嵌め入れ可能である。その場合、第一・二股形状部および第二・二股形状部の形状が異なっているので、第一嵌合部材(13第一切欠き部(12)へ嵌め入れた場合と、第二切欠き部(22)へ嵌め入れた場合とで、異なる径の孔部への差し込みが可能となる。
【００１３】
（作用）
第一・二股形状部(11)の第一切欠き部(12)へ第一嵌合部材(13)を嵌め入れた状態で、大径の孔部(32a)へ挿入すると、第一・二股形状部(11)は弾性を有しているので縮まりながら大径の孔部(32a)へ挿入される。その時、大径の孔部(32a)へ簡単に装着できるが、第一嵌合部材(13)の分だけ中径の孔部(32b)より大きい径の孔部に対して反発するので、装着後は安定した状態を保つ。
【００１４】
（第一の発明のバリエーション２）
第一の発明においては、  前記第一嵌合部材(13)は、その先端から前記大径の孔部(32a)へ差し込む方向に長い第三切欠き部(14)を備えることとしてもよい。
【００１５】
（作用）
前記第一嵌合部材(13)に第三切欠き部(14)を備えることによって、空隙となる部位の存在によって変形しやすくなるために、装着可能な大径の孔部(32a)の大きさの適用範囲を広げられる。
【００１６】
（第一の発明のバリエーション３）
第一の発明は、前記第二・二股形状部(21)は、前記第二切欠き部(22)へ嵌め入れ可能な第二嵌合部材(23)を備える。その第二嵌合部材(23)を、前記第二切欠き部(22)へ嵌め入れることで船舶(30)の船縁(31)に備えられた細径の孔部(32c)へ差し込み可能として形成してもよい。
【００１７】
（作用）
第二・二股形状部(21)の第二切欠き部(22)へ第二嵌合部材(23)を嵌め入れて、細径の孔部(32c)へ挿入すると、第二・二股形状部(21)は弾性を有しているので縮まりながら細径の孔部(32c)へ挿入される。その時、第二嵌合部材(23) の分だけ極細径の孔部(32d)より大きい径の孔部に対して反発するので、細径の孔部(32c)へ安定した状態で簡単に装着される。
【００１８】
（第一の発明のバリエーション４）
第一の発明は、  前記第二嵌合部材(23)は、その先端から前記細径の孔部(32c)へ差し込む方向に長い第四切欠き部(24)を備えることとしてもよい。
【００１９】
（作用）
前記第二嵌合部材(23)に第四切欠き部(24)を備えることによって、装着可能な細径の孔部(32c)の大きさの適用範囲を広げられる。
【００２０】
（第一の発明のバリエーション５）
第一の発明は、  前記第一・二股形状部(11)の第一切欠き部(12)と、前記第二・二股形状部(21)の第二切欠き部(22)は、同じ面に貫通する構成としてもよい。
【００２１】
（作用）
前記第一・二股形状部(11)の第一切欠き部(12)と、前記第二・二股形状部(21)の第二切欠き部(22)が、同じ面に貫通することによって、第一切欠き部(12)、第二切欠き部(22)、竿掛け(10)の外形形状は、同時に打ち抜き可能となる。その結果、大量生産できるので、低コスト化を図ることができる。
【００２２】
（第一の発明のバリエーション６）
第一の発明は、  前記第一・二股形状部(11)は、その側面に凹凸部(15)を形成することとしてもよい。
ここで「凹凸部(15)」とは、孔へ装着した状態から抜けにくくするための構造としての趣旨であり、はっきりとした形状としての凹凸のほか、表面粗さを粗くしたり、摩擦係数を上昇させるような構造を採用することをも含む趣旨である。
【００２３】
（作用）
第一・二股形状部(11)の側面に凹凸部(15)を形成することによって、船縁(31)に備えられた孔部(32)との装着状態がよりいっそう安定する。
【００２４】
（第一の発明のバリエーション７）
第一の発明は、  前記第二・二股形状部(21)は、その側面に凹凸部(25)を形成することとしてもよい。
こちらの「凹凸部(25)」もまた、孔へ装着した状態から抜けにくくするための構造としての趣旨であり、はっきりとした形状としての凹凸のほか、表面粗さを粗くしたり、摩擦係数を上昇させたりするような構造を採用することをも含む趣旨である。
【００２５】
（作用）
第二・二股形状部(21)の側面に凹凸部(25)を形成することによって、船縁(31)に備えられた孔部(32)との装着状態がよりいっそう安定する。
【発明の効果】
【００２６】
第一の発明によれば、船縁における異なる大きさの孔部へ簡単に装着可能であって、小型で軽量化を実現する竿掛けを提供することができた。
【図面の簡単な説明】
【００２７】
【図１】本発明の実施形態の竿掛けを、船舶の船縁の孔部へ装着する状態を示す斜視図である。
【図２】本発明の実施形態の竿掛けを示す斜視図である。
【図３】本発明の実施形態の竿掛けを、船舶の船縁の孔部へ装着する状態を示す。
【図４】本発明の別の実施形態の竿掛けを示す斜視図で、特に図１と異なる点は、第一嵌合部材に第三切欠き部を設けたことである。
【発明を実施するための形態】
【００２８】
以下、本発明の実施形態について図面を参照して説明する。ここで使用する図面は、図１から図4である。図３（ａ）は大径の孔部へ装着する状態を示す断面図である。図３（ｂ）は中径の孔部へ装着する状態を示す断面図である。図３（ｃ）は細径の孔部へ装着する状態を示す断面図である。図３（ｄ）は極細径の孔部へ装着する状態を示す断面図である。
【００２９】
この実施形態に係る竿掛け１０は、材質として、たとえば発泡ウレタンのように可撓性を備えた樹脂材料を用いる。平板状の発泡ウレタンに対して打ち抜き加工にて大量生産を図ることによって低コスト化を実現することができる。しかし、材料の材質や形状は、特に限定されない。つまり、樹脂材料に限定されず、他の材質でもよいが、発泡ウレタンなどのように可撓性のある材質の材料であることが望ましい。また、打ち抜き加工でなく他の加工方法でもよいので、平板状の形状でなくてもよい。
【００３０】
竿掛け１０は、図１、図２および図３に示すように、ボートや釣り船などの船舶３０に予め備えられている船縁３１の孔部３２の大きさが、たとえば大径、中径、細径、極細径に分類したとき、前記各種の大きさの船縁３１の孔部３２へ容易に差し込み可能としている。
竿掛け１０は、基本的には、釣り竿４０を保持可能な第一切欠き部１２を備えて可撓性のある材質の第一・二股形状部１１と、前記第一切欠き部１２に対して反対側に位置するとともに釣り竿４０を保持可能な第二切欠き部２２を備えて可撓性のある材質の第二・二股形状部２１と、を一体として備えている。
【００３１】
本実施形態では、前記第一・二股形状部１１および前記第二・二股形状部２１が、断面Ｖ字形状ないしは断面Ｕ字形状をなしている。しかし、釣り竿４０を保持可能な二股形状であれば、他の断面形状であってもよいので、特に限定されない。
さらに、前記第一・二股形状部１１は、船縁３１に備えられた中径の孔部３２ｂへ差し込み可能である。また、前記第二・二股形状部２１は、船縁３１に備えられた極細径の孔部３２ｄへ差し込み可能である。
【００３２】
なお、本実施形態では、前記第一・二股形状部１１の第一切欠き部１２と、前記第二・二股形状部２１の第二切欠き部２２は、同じ面に貫通している。それによって、第一切欠き部１２、第二切欠き部２２、竿掛け１０の外形形状は、同時に打ち抜き可能となり、大量生産を図ることができる。しかし、前記第一切欠き部１２と前記第二切欠き部２２は、必ずしも同じ面に位置してなくても、本発明の範囲に属する。
【００３３】
前記第一・二股形状部１１の側面には、孔部３２との装着状態をよりいっそう安定させるために波形状あるいは他の凹凸形状などの凹凸部１５を備えることが望ましい。
同様に、前記第二・二股形状部２１の側面には、孔部３２との装着状態をよりいっそう安定させるために波形状あるいは他の凹凸形状などの凹凸部２５を備えることが望ましい。
【００３４】
上記の実施形態に加えて、前記第一・二股形状部１１は、前記第一切欠き部１２と嵌合する第一嵌合部材１３を、前記第一切欠き部１２へ嵌め入れることで、船縁３１に備えられた大径の孔部３２ａへ差し込み可能とすることができる。本実施形態では、図４に示すように、前記第一嵌合部材１３は、その先端から前記大径の孔部３２ａへ差し込む方向に長い第三切欠き部１４を備えている。前記第三切欠き部１４を備えることで、大径の孔部３２ａの大きさの適用範囲を広げることができる。
【００３５】
上記の実施形態に加えて、前記第二・二股形状部２１は、前記第二切欠き部２２と嵌合する第二嵌合部材２３を、前記第二切欠き部２２へ嵌め入れることで、船縁３１に備えられた細径の孔部３２ｃへ差し込み可能とすることができる。本実施形態では、図２および図３（ｃ）に示すように、前記第二嵌合部材２３は、その先端から前記細径の孔部３２ｃへ差し込む方向に長い第四切欠き部２４を備えている。前記第四切欠き部２４を備えることで、細径の孔部３２ｃの大きさの適用範囲を広げることができる。
【００３６】
上記の竿掛け１０における作用について説明する。
本実施形態では、船舶３０に予め備えられている船縁３１の孔部３２の大きさを、大径の孔部３２ａ、中径の孔部３２ｂ、細径の孔部３２ｃ、極細径の孔部３２ｄに分類し、前記各種の大きさの船縁３１の孔部３２ａ〜３２ｄへ装着する作用について説明する。
まず、前記竿掛け１０を船縁３１に備えられた大径の孔部３２ａへ装着する場合について説明する。図３（ａ）に示すように、第一・二股形状部１１の第一切欠き部１２へ第一嵌合部材１３を嵌め入れる。そのように第一嵌合部材１３を嵌め入れた状態の第一・二股形状部１１を大径の孔部３２ａへ挿入すると、第一・二股形状部１１は弾性を有しているので縮まりながら大径の孔部３２ａへ挿入される。その時、第一嵌合部材１３の分だけ中径の孔部３２ｂより大きい径の孔部に対して反発するので、大径の孔部３２ａへグラグラしないように安定した状態で装着することができる。  しかも、第一・二股形状部１１の側面に凹凸部１５を形成していれば、大径の孔部３２ａに対する装着状態がよりいっそう安定する。
【００３７】
図４に示すように、前記第一嵌合部材１３に第三切欠き部１４を備えた場合は、大径の孔部３２ａの大きさの適用範囲を広げることができる。
したがって、前記第二・二股形状部２１が前記竿掛け１０の上部に位置するので、前記第二・二股形状部２１における第二切欠き部２２にて釣り竿４０を挟み込むことで、竿掛け１０として機能することになる。  なお、前記第二切欠き部２２に第二嵌合部材２３を嵌め入れる場合は、図１に示すように、前記第二嵌合部材２３を第二切欠き部２２から取り外してから、釣り竿４０を挟み込むことになる。
【００３８】
前記竿掛け１０を船縁３１に備えられた中径の孔部３２ｂへ装着する場合について説明する。
図３（ｂ）に示すように、第一嵌合部材１３を第一・二股形状部１１の第一切欠き部１２から取り外す。この状態の第一・二股形状部１１を中径の孔部３２ｂへ挿入すると、第一・二股形状部１１は弾性を有しているので、第一切欠き部１２の分だけ大きく縮まりながら中径の孔部３２ｂへ挿入される。
【００３９】
その時、第一・二股形状部１１は縮んだ分だけ大きく反発するので、中径の孔部３２ｂへグラグラしないように安定した状態で装着することができる。  しかも、第一・二股形状部１１の側面に凹凸部１５を形成していれば、中径の孔部３２ｂに対する装着状態がよりいっそう安定する。
前述した場合と同様に、前記第二・二股形状部２１が前記竿掛け１０の上部に位置するので、前記第二・二股形状部２１における第二切欠き部２２にて釣り竿４０を挟み込むことで、竿掛け１０として機能する。  なお、前記第二切欠き部２２に第二嵌合部材２３を嵌め入れている場合は、図１に示すように、前記第二嵌合部材２３を第二切欠き部２２から取り外してから、釣り竿４０を挟み込む。
【００４０】
次に、前記竿掛け１０を船縁３１に備えられた細径の孔部３２ｃへ装着する場合について説明する。
図３（ｃ）に示すように、第二・二股形状部２１の第二切欠き部２２へ第二嵌合部材２３を嵌め入れる。そのように第二嵌合部材２３を嵌め入れた状態の第二・二股形状部２１を細径の孔部３２ｃへ挿入すると、第二・二股形状部２１は弾性を有しているので縮まりながら細径の孔部３２ｃへ挿入される。その時、第二嵌合部材２３の分だけ極細径の孔部３２ｄより大きい径の孔部に対して反発するので、細径の孔部３２ｃへグラグラしないように安定した状態で装着することができる。  しかも、第二・二股形状部２１の側面に凹凸部２５を形成していれば、細径の孔部３２ｃに対する装着状態がよりいっそう安定する。
【００４１】
前記第一・二股形状部１１が前記竿掛け１０の上部に位置するので、前記第一・二股形状部１１における第一切欠き部１２にて釣り竿４０を挟み込むことで、竿掛け１０として機能する。  なお、前記第一切欠き部１２に第一嵌合部材１３を嵌め入れている場合は、前記第一嵌合部材１３を第一切欠き部１２から取り外してから、釣り竿４０を挟み込む。
【００４２】
前記竿掛け１０を船縁３１に備えられた極細径の孔部３２ｄへ装着する場合について説明する。
図３（ｄ）に示すように、前記第二嵌合部材２３を第二・二股形状部２１の第二切欠き部２２から取り外す。この状態の第二・二股形状部２１を極細径の孔部３２ｄへ挿入すると、第二・二股形状部２１は弾性を有しているので、第二切欠き部２２の分だけ大きく縮まりながら極細径の孔部３２ｄへ挿入される。その時、第二・二股形状部２１は縮んだ分だけ大きく反発するので、極細径の孔部３２ｄへグラグラしないように安定した状態で装着することができる。  しかも、第二・二股形状部２１の側面に凹凸部２５を形成していれば、極細径の孔部３２ｄに対する装着状態がよりいっそう安定する。
【００４３】
前述した場合と同様に、前記第一・二股形状部１１が前記竿掛け１０の上部に位置するので、前記第一・二股形状部１１における第一切欠き部１２にて釣り竿４０を挟み込むことで、竿掛け１０として機能する。  なお、前記第一切欠き部１２に第一嵌合部材１３を嵌め入れている場合は、前記第一嵌合部材１３を第一切欠き部１２から取り外してから、釣り竿４０を挟み込む。
【００４４】
本実施形態の竿掛け１０は、船舶３０の船縁３１における異なる大きさの孔部３２へ安定した状態で容易に装着可能である。しかも、構造が簡単であるので、軽量化を実現することができた。さらに、打ち抜き加工が可能な構造では、簡易に大量生産できるので、低コスト化を図ることができる。
また、第一嵌合部材１３、第二嵌合部材２３を用いることによって、たとえば大径の孔部３２ａ、中径の孔部３２ｂ、細径の孔部３２ｃ、極細径の孔部３２ｄなどのように、よりいっそう幾つもの異なる大きさの船縁３１の孔部３２ａ〜３２ｄへ容易に装着可能である。
【００４５】
図示はしていないが、前記の実施形態に係る竿掛け１０には、貫通孔を備えることとし、その貫通孔に尻手ロープを接続するなどして、使い勝手の向上、紛失の未然防止に役立てることもできる。
【産業上の利用可能性】
【００４６】
本発明は、釣り具の製造業、釣り具のレンタル業、アウトドアスポーツのインストラクター事業などにおいて、利用可能性を有する。
【符号の説明】
【００４７】
１０；  竿掛け
１１；  第一・二股形状部            １２；  第一切欠き部
１３；  第一嵌合部材                １４；  第三切欠き部
１５；  凹凸部
２１；  第二・二股形状部            ２２；  第二切欠き部
２３；  第二嵌合部材                ２４；  第四切欠き部
２５；  凹凸部
３０；  船舶                        ３１；  船縁
３２；  孔部                        ３２ａ；大径の孔部
３２ｂ；中径の孔部                  ３２ｃ；細径の孔部
３２ｄ；極細径の孔部
４０；  釣り竿
【図１】
2014147335.tif 000003
【図２】
2014147335.tif 000004
【図３】
2014147335.tif 000005
【図４】
2014147335.tif 000006